(57)【要約】【課題】ケース体の前面側に貼付された表示部を設けた表示パネルを備えた表示装置に於いて、ケース体に設けた空気逃げ溝から表示部への水の浸入を防ぐことのできる表示装置を提供する。【解決手段】透光部４を有するケース体５と、このケース体５の前面側に貼付され透光部４に対応した箇所に表示部を設けた表示パネル９とを備え、透光部４と表示パネル９の端２３との間に対応したケース体５の前面部１８に貫通穴３を設け、この貫通穴３に装着された押釦６の周囲に隙間部Ｓ（凹部）を形成し、この隙間部Ｓと透光部４とを繋ぐ第１の空気逃げ溝２１と、隙間部Ｓと端２３に対応した箇所とを繋ぐ第２の空気逃げ溝２２とを各々ケース体５に設け、隙間部Ｓの深さは第１の空気逃げ溝２１の深さよりも深くなっている。【選択図】図１
2008300156.tif 000002
【特許請求の範囲】
【請求項１】
透光部を有するケース体と、このケース体の前面側に貼付され前記透光部に対応した箇所に表示部を設けた表示パネルとを備え、前記透光部と前記表示パネルの端との間に対応した前記ケース体箇所に凹部を設け、この凹部と前記透光部とを繋ぐ第１の空気逃げ溝と、前記凹部と前記端に対応した箇所とを繋ぐ第２の空気逃げ溝とを各々前記ケース体に設け、前記凹部は前記第１の空気逃げ溝よりも深くなっていることを特徴とする表示装置。
【請求項２】
前記ケース体には貫通穴が設けられ、この貫通穴に押釦が装着されており、前記凹部は前記押釦の周囲に設けられる隙間部からなることを特徴とする請求項１に記載の表示装置。
【請求項３】
前記透光部は複数有り、前記第１の空気逃げ溝は前記凹部と前記複数の透光部との間で分岐して前記複数の透光部に繋がっていることを特徴とする請求項１または請求項２に記載の表示装置。
【発明の詳細な説明】
【技術分野】
【０００１】
本発明は、農業機械や建設機械あるいはオートバイなどに搭載され、表示パネルが貼付されたケース体を備えた表示装置に関するものである。
【背景技術】
【０００２】
操作部材や表示部などが備えられたケース体の前面側に表示パネルを貼ったものとして、例えば特許文献１がある。特許文献１に記載されている操作パネルは、支持体３（ケース体）の前面側に操作孔３１を設け、この操作孔３１に支持体３内に収納されているスイッチ２２を押圧操作する弾性部材４を操作孔３１を塞ぐように配設し、弾性部材４を覆うように支持体３の前面側に表示部１２が設けられたパネルシート１（表示パネル）が貼ってある。そして、弾性部材４周辺とパネルシート１との間にできる密封空間内の膨張した空気を外部に逃がすための通気路３３と通気孔３２を支持体３に設けたというものである。
【特許文献１】特開２００１−１０１９４９号公報
【発明の開示】
【発明が解決しようとする課題】
【０００３】
しかしながら、支持体３内に水が入って悪影響を及ぼすことを防ぐために、特許文献１の図１に記載された構造は、上ケース３ａに回路基板２との間を仕切る仕切壁３４と、仕切壁３４を設けることによってできた空間に対応した上ケース３ａの前面側箇所に通気孔３２を形成して、通気路３３から導かれた空気を下ケース３ｂの底部から外部に逃がす様にしているため、空間を設けるためのスペース（図１中、右端）が必要である。従って、その分ケースが大きくなってコストもアップしてしまう。また、特許文献１の図３に記載された構造は、通気孔３２を塞ぐように空気は通すが水は通さない多孔質膜６を配設したものであるが、ケースは大きくならないが多孔質膜６が必要であり、コスト高となってしまう。
【０００４】
この様な点を改善するために、特許文献１に於いて、例えば支持体３に通気路３３を設けることなく、通気孔３２（空気逃げ溝）を支持体３の縁部まで延ばして膨張した空気を外部に逃がす方法が考えられる。しかし、特許文献１に於ける操作パネルが外部に晒される場合、通気孔３２を伝って水が弾性部材４側に浸入する虞がある。その際、弾性部材４（スイッチ２２）に替えて表示部が設けられ、この表示部に対応した透視部を有するパネルシートが貼付された表示装置であった場合は、水の浸入により表示部の視認性が低下したり、外観品質が低下してしまう。
【０００５】
本発明はこの様な点に鑑みなされたもので、ケース体の前面側に貼付された表示部を設けた表示パネルを備えた表示装置に於いて、ケース体に設けた空気逃げ溝から表示部への水の浸入を防ぐことのできる表示装置を提供することを目的とする。
【課題を解決するための手段】
【０００６】
本発明は前記目的を達成するため、透光部を有するケース体と、このケース体の前面側に貼付され前記透光部に対応した箇所に表示部を設けた表示パネルとを備え、前記透光部と前記表示パネルの端との間に対応した前記ケース体箇所に凹部を設け、この凹部と前記透光部とを繋ぐ第１の空気逃げ溝と、前記凹部と前記端に対応した箇所とを繋ぐ第２の空気逃げ溝とを各々前記ケース体に設け、前記凹部は前記第１の空気逃げ溝よりも深くなっているものである。
【０００７】
また、前記ケース体には貫通穴が設けられ、この貫通穴に押釦が装着されており、前記凹部は前記押釦の周囲に設けられる隙間部からなるものである。
【０００８】
また、前記透光部は複数有り、前記第１の空気逃げ溝は前記凹部と前記複数の透光部との間で分岐して前記複数の透光部に繋がっているものである。
【発明の効果】
【０００９】
ケース体の前面側に貼付された表示部を設けた表示パネルを備えた表示装置に於いて、ケース体に設けた空気逃げ溝から表示部への水の浸入を防ぐことのできる表示装置を得ることができる。
【発明を実施するための最良の形態】
【００１０】
図１は、第１実施形態を示す表示装置の部分断面図である。図２は表示装置に用いられ押釦が装着されたケース体を示す部分正面図であり、図３は表示パネルに設けられた表示部に対応した表示パネルの部分断面図である。
【００１１】
表示装置は、スイッチ１が半田付固定された硬質な回路基板２と、この回路基板２が収納されスイッチ１に対応して設けられた貫通穴３と透光部４とを有するケース体５と、貫通穴３を塞ぐようにケース体５に装着される押釦６と、押釦６に対応して設けられた押圧部７と透光部４に対応して設けられた表示部８とを有する表示パネル９と、ケース体５に表示パネル９を貼付する粘着部材としての両面テープ１０と、回路基板２の裏面側を覆う合成樹脂製のカバー１１と、回路基板２に実装され透光部４を照明して表示部８を表示させる光源としての発光ダイオード１２と、この発光ダイオード１２を囲むように配置された反射部材１３を備えている。
【００１２】
表示パネル９は、合成樹脂からなる無色透明な基板１４の裏面側に表示領域Ｒとなる２箇所を除いて、地部１５となる例えば黒色の不透過層１６が印刷によって設けられ、各表示領域Ｒ内に表示部８である絵記号が例えば黒色の不透過層１６で印刷されている。この地部１５と表示部８の印刷は同一工程で設ければ良い。その後、表示領域Ｒに透明な拡散層１７を設ける。また、押圧部７はエンボス加工によって隆起状に形成してあり、基板１４裏面側にはスイッチ１機能に対応した文字やマークが印刷されている。表示パネル９の裏面には両面テープ１０が貼られ、両面テープ１０が貼られた表示パネル９がケース体５の前面側に貼付される。
【００１３】
両面テープ１０は、不織布からなる基材の両面に接着剤が設けられたシートからなり、表示パネル９とほぼ同じ大きさで、厚さは約０．２ｍｍである。図１に示す様に表示パネル９の透光部４および押圧部７に対応した箇所には設けられていない。この両面テープ１０は予めプレス加工により透光部４および押圧部７に対応した箇所を打ち抜いた後、表示パネル９の裏面に貼り、その後、プレス加工により表示パネル９の外形を打ち抜くと同時に、表示パネル９の外形と同形の両面テープ１０の外形が打ち抜かれるものである。
【００１４】
ケース体５は、ＡＢＳ或いはポリカーボネートなどの例えば黒色の合成樹脂からなり、前面部１８と周部１９を有している。前面部１８には、表示パネル９の各表示領域Ｒに対応して２個（複数）の透光部４が形成されている。この透光部４は透光性を有する合成樹脂からなり（本実施形態の場合は、無色透明の合成樹脂）、前面部１８に一体成形され、それによって防水性が保たれている。また、スイッチ１に対応して（表示パネル９の押圧部７にも対応している）設けられた貫通穴３と、周縁に設けられた突部２０を有している。
【００１５】
ケース体５の前面部１８には、貫通穴３と透光部４とを繋ぐ第１の空気逃げ溝２１と、貫通穴３と突部２０とを繋ぐ第２の空気逃げ溝２２が設けてある。第１及び第２の空気逃げ溝２１，２２は、幅が約１ｍｍで深さが約0.5ｍｍの溝状であって、第２の空気逃げ溝２２は、少なくとも表示パネル９の端２３に対応した箇所まで設けるものとする。また、第１の空気逃げ溝２１は貫通穴３と透光部４との間で分岐されて２個の透光部４と繋がっている（透光部４側の第１の空気逃げ溝２１は２本であるが、貫通穴３側は１本に集約されている）。また、前面部１８には回路基板２を取付固定する取付ボス２４が設けられており、この取付ボス２４に回路基板２がビス２５によってねじ止めされる。また、貫通穴３の周囲には溶着ボス２６が設けてある。
【００１６】
押釦６は、弾性を有する合成ゴムからなり、軸部２７と、この軸部２７の周囲に位置する固定脚部２８と、軸部２７と固定脚部２８とを繋ぐ薄肉部２９とを有している。押釦６は、ケース体５の前面部１８と合成樹脂からなるリング状の固定部材３０との間で固定脚部２８を挟み込むことによって前面部１８に設けられた貫通穴３の周縁に装着されるようになっている。具体的には、固定脚部２８を僅かに圧縮した状態で固定部材３０を溶着ボス２６に溶着することによって、ケース体５の貫通穴３が隙間なく塞がれて防水性が保たれるようになる。
【００１７】
なお、押釦６をケース体５に装着した際、押釦６の周囲（押釦６と貫通穴３の切り口との間）に凹部としての隙間部Ｓができるようになっている。この隙間部Ｓと第１の空気逃げ溝２１と第２の空気逃げ溝２２とは繋がっており、隙間部Ｓは第１及び第２の空気逃げ溝２１，２２の前面部１８の板厚方向の深さよりも深くなっている。
【００１８】
反射部材１３は、白色の合成樹脂からなり、発光ダイオード１２側から透光部４の周囲側にかけて傾斜した仕切壁３１を有し、仕切壁３１によって囲まれた空間内に発光ダイオード１２が位置する様になっている。この反射部材１３は、発光ダイオード１２からの光を反射させて透光部４を効率良く照明させると共に、透光部４が複数の場合、隣接する透光部４に光が回らない様にするための遮光機能を有している。なお、図示しないが、この反射部材１３は回路基板２に固定されている。
【００１９】
表示領域Ｒは、透光部４を透過した例えば赤色で発光する発光ダイオード１２からの光を受けて赤色で透過照明される。そして、拡散層１７によってほぼ均一な赤色で透過照明された領域内に表示部８が黒色で表示される。なお、表示部８となる箇所を除いて黒色の不透過層１６を印刷して、表示部８が赤色で透過照明されるように構成しても良い。
【００２０】
スイッチ１の操作は、表示パネル９の押圧部７を下方に押すことによって行われる。押圧部７を押すことで押釦６の薄肉部２９が撓み、軸部２７が下方（スイッチ１側）に移動する。それにより、軸部２７の下端によって復帰可能に保持されたスイッチ１の可動部３２が押圧され、図示しない液晶表示器に各種表示項目が現れて、その中から任意の項目を選択できるように構成されている。押し操作を止めると押釦６の軸部２７および表示パネル９の押圧部７が元の位置に戻るようになっている。
【００２１】
表示パネル９とケース体５との間の空気抜きは、次の様にして行われる。表示パネル９とケース体５の透光部４との空間部に溜まっていて膨張した空気は、第１の空気逃げ溝２１から押釦６とケース体５との間の隙間部Ｓへ抜け、更に第２の空気逃げ溝２２を通り、表示パネル９の端２３から外部に抜ける。また、押釦６周囲と表示パネル９との空間部に溜まっていて膨張した空気は、第２の空気逃げ溝２２を通って表示パネル９の端２３から外部に抜ける。
【００２２】
この様な表示装置に雨水が降り掛かった場合、表示パネル９の端２３と突部２０との隙間に入った水は、第２の空気逃げ溝２２を通って押釦６とケース体５との間の隙間部Ｓに浸入（浸透）し、更に第１の空気逃げ溝２１を通って透光部４に浸入しようとするが、隙間部Ｓの深さが第１の空気逃げ溝２１の深さよりも深くなっているために、透光部４に浸入しようとする水を隙間部Ｓで阻止することができ、表示部８の視認性や外観品質が低下することが無い。
【００２３】
また、ケース体５にはスイッチ１を押圧する押釦６が装着されており、この押釦６の周囲に凹部としての隙間部Ｓを設けるようにしたことにより、押釦６（スイッチ１）を備える表示装置であっても凹部を別に形成する必要が無く、省スペース化が図られる。また、透光部４が複数有っても隙間部Ｓに繋がる隙間部Ｓ側の第１の空気逃げ溝２１を１本に集約することで、ケース体５の加工時間を短縮し、コストダウンが図られる。
【００２４】
図４は、本発明の第２実施形態を示すケース体の部分正面図であり、図５は、ケース体の部分断面図である。前記第１実施形態に於いては、押釦６の周囲に隙間部Ｓを設けることによって凹部を形成したが、本実施形態に於いては、ケース体５に窪みを設けることによって凹部を形成したものである。従って、本実施形態の表示装置にはスイッチ（押釦）が備えられていない。なお、前記第１実施形態と同一または相当箇所には同一符号を付し、その詳細説明及び図示は省略する。
【００２５】
表示パネル９は、図示しないが、前記第１実施形態と同様に合成樹脂からなる無色透明な基板１４に表示領域Ｒ，表示部８および地部１５が設けてあり、裏面には両面テープ１０が貼られ、両面テープ１０が貼られた表示パネル９がケース体５の前面側に貼付される。なお、ケース体５には押釦が装着されていないため、表示パネル９には前記第１実施形態の様な押圧部７は形成されていない。
【００２６】
ケース体５は、前面部１８と周部１９を有しており、前面部１８には表示パネル９の各表示領域Ｒに対応して２個（複数）の透光部４が形成されている。この透光部４は透光性を有する合成樹脂からなり、前面部１８に一体成形され、それによって防水性が保たれている。また、透光部４と周縁に設けられた突部２０との間に凹部としての例えば円柱状の窪み３３が設けてある。
【００２７】
また、ケース体５の前面部１８には、窪み３３と透光部４とを繋ぐ第１の空気逃げ溝２１と、窪み３３と突部２０とを繋ぐ第２の空気逃げ溝２２が設けてある。窪み３３の深さは第１及び第２の空気逃げ溝２１，２２の深さよりも深くなっている。また、第１の空気逃げ溝２１は窪み３３と透光部４との間で分岐されて２個の透光部４と繋がっている（透光部４側の第１の空気逃げ溝２１は２本であるが、窪み３３側は１本に集約されている）。
【００２８】
この様に構成した表示装置に雨水が降り掛かった場合、表示パネル９の端２３と突部２０との隙間に入った水は、第２の空気逃げ溝２２を通って窪み３３に浸入（浸透）し、更に第１の空気逃げ溝２１を通って透光部４に浸入しようとするが、窪み３３の深さが第１の空気逃げ溝２１の深さよりも深くなっているために、透光部４に浸入しようとする水を窪み３３で阻止することができ、表示部８の視認性や外観品質が低下することが無い。また、透光部４が複数有っても窪み３３側の第１の空気逃げ溝２１を１本に集約することで、ケース体５の加工時間を短縮し、コストダウンが図られる。
【００２９】
なお、前記各実施形態に於いては、第１の空気逃げ溝２１と第２の空気逃げ溝２２の深さを同じくし、凹部（隙間部Ｓ，窪み３３）の深さを第１及び第２の空気逃げ溝２１，２２の深さよりも深くしたが、凹部の深さが第１の空気逃げ溝２１の深さよりも深くなっていれば良く、第２の空気逃げ溝２２の深さは凹部の深さと同一若しくは浅くとも良い。
【００３０】
また、透光部４および押釦６の数は任意であり、全ての押釦６が透光部４と第１の空気逃げ溝２１によって繋がっている必要はない。透光部４が第１の空気逃げ溝２１，凹部，第２の空気逃げ溝２２を介してケース体５の外部と繋がっていれば良い。前記第１実施形態と前記第２実施形態との組み合わせであっても良い。
【図面の簡単な説明】
【００３１】
【図１】本発明の第１実施形態を示す表示装置の部分断面図。
【図２】同表示装置に用いられるケース体を示す部分正面図。
【図３】同表示パネルの部分断面図。
【図４】本発明の第２実施形態を示すケース体の部分正面図。
【図５】同ケース体の部分断面図。
【符号の説明】
【００３２】
４  透光部
５  ケース体
６  押釦
８  表示部
９  表示パネル
２１  第１の空気逃げ溝
２２  第２の空気逃げ溝
２３  端
Ｓ  隙間部（凹部）
３３  窪み（凹部）
【図１】
2008300156.tif 000003
【図２】
2008300156.tif 000004
【図３】
2008300156.tif 000005
【図４】
2008300156.tif 000006
【図５】
2008300156.tif 000007